(57)【要約】  本発明は、少なくとも２つの光学素子から成る、光強度が可変な人工水晶体に関する。少なくとも２つの光学素子は、光軸に対し横に伸びる方向に、相互に関連して移動可能であり、移動可能な光学素子の様々な位置において、人工水晶体が様々な光強度となるような形状を有している。人工水晶体は、移動可能な光学素子の相対的な動きに起因して生じる可変な光強度である、正の基本光強度が、人工水晶体の光強度全体となるように加えられる。異なる形態では、結果として、光学素子の１つにおいて、大きな屈折力を組み入れる可能性をもたらす。この光学素子は、所望の光学特性に最適化される。他の光学素子は、光強度が変化するために、十分な大きさである。
2008539939.tif 000002
【特許請求の範囲】
【請求項１】
光軸に対し横に伸びる方向に、相互に関連して移動可能な少なくとも２つの光学素子を備え、
上記少なくとも２つの光学素子は、該移動可能な光学素子の様々な位置において、人工水晶体が様々な光強度となるような形状を有しており、
上記移動可能な光学素子の相対的な動きに起因して生じる可変な光強度である、正の基本光強度が、人工水晶体の光強度全体となるように加えられることを特徴とする光強度が可変となる人工水晶体。
【請求項２】
２つの移動可能な光学素子を備えることを特徴とする請求項１に記載の人工水晶体。
【請求項３】
上記２つの光学素子は、相互に異なる形状であることを特徴とする請求項２に記載の人工水晶体。
【請求項４】
上記２つの光学素子は、同じ形状であることを特徴とする請求項２に記載の人工水晶体。
【請求項５】
上記２つの光学素子は、少なくとも公式ｚ＝Ｕ（ａｘｙ２＋ｂｘ３／３）を充たす要素を有する面を備えることを特徴とする請求項２〜４のいずれか１項に記載の人工水晶体。
【請求項６】
上記２つの光学素子の少なくとも１つは、一定の光強度となるレンズに関する式を充たす要素を有する面を備えることを特徴とする請求項２〜５のいずれか１項に記載の人工水晶体。
【請求項７】
一定の光強度となる固定された光学素子と２つの移動可能な光学素子とを備え、
上記固定された光学素子は、上記移動可能な光学素子のそれぞれの形状とは異なる形状であることを特徴とする請求項１に記載の人工水晶体。
【請求項８】
上記２つの移動可能な光学素子は、反対方向に同じ大きさだけ移動するように構成されており、公式ｚ＝Ｕ（ａｘｙ２＋ｂｘ３／３）を充たす要素を有する面を備えることを特徴とする請求項７に記載の人工水晶体。
【請求項９】
上記光学素子は、公式ｚ＝Ｃ（ｍｘ２＋ｎｙ２）を充たす要素を有する少なくとも１つの面を備えることを特徴とする請求項８または９に記載の人工水晶体。
【請求項１０】
第１の移動可能な光学素子は、公式ｚ＝ＳＦ（ｘ，ｙ）＝ｈ１＋２Ａ（ｅｘ２ｙ２＋ｆｘ４／６）を充たす面を備え、
第２の移動可動な光学素子は、公式ｚ＝ＳＮ（ｘ，ｙ）＝ｈ２＋Ｎ（ｇｘ２ｙ２＋ｈｘ４／６）を充たす面を備え、
上記固定された光学素子は、公式ｚ＝ＳＰ（ｘ，ｙ）＝ｈ３＋Ｐ（ｉｘ２ｙ２＋ｊｘ４／６）を充たす面を備えることを特徴とする請求項７に記載の人工水晶体。
【請求項１１】
上記移動可能な光学素子は、相互に近接して配置されていることを特徴とする請求項１〜１０のいずれか１項に記載の人工水晶体。
【請求項１２】
最も強い光強度となる光学素子は、虹彩に最も近接して配置されていることを特徴とする請求項１〜１１のいずれか１項に記載の人工水晶体。
【請求項１３】
上記移動可能な光学素子を、眼の中の虹彩の前に配置することを特徴とする請求項１〜１２のいずれか１項に記載の人工水晶体。
【請求項１４】
上記移動可能な光学素子を、水晶体嚢の中に配置するように構成されていることを特徴とする請求項１〜１３のいずれか１項に記載の人工水晶体。
【請求項１５】
上記光学素子の少なくとも１つの、少なくとも１つの面は、
【数１】
2008539939.tif 000010
に示す公式を充たす補正面を備えることを特徴とする請求項１〜１４のいずれか１項に記載の人工水晶体。
【請求項１６】
上記光学素子の少なくとも１つは、公式ｚ＝Ｃ（ｋｘ２−ｌｙ２）に応じた、その面の１つに関する補正項を規定していることを特徴とする請求項１〜１５のいずれか１項に記載の人工水晶体。
【請求項１７】
上記光学素子の少なくとも１つは、強化した端部を備えており、この端部は、少なくとも部分的に、当該端部に当たる光を外側へ屈折させるような形状を有していることを特徴とする請求項１〜１６のいずれか１項に記載の人工水晶体。
【請求項１８】
光軸からはずれ、網膜上に像を投影するように構成されていることを特徴とする請求項１〜１７のいずれか１項に記載の人工水晶体。
【請求項１９】
上記光学素子の少なくとも２つは、これら光学素子の相対的な位置決めを容易にするためのマーキングを有していることを特徴とする請求項１〜１８のいずれか１項に記載の人工水晶体。
【発明の詳細な説明】
【発明の詳細な説明】
【０００１】
本発明は、可変な光強度となる人工水晶体に関する。特には、本発明は、少なくとも２つの光学素子を備えるレンズに関するものである。この少なくとも２つの光学素子は、光軸に対し横に伸びる方向に相互に関連して移動可能となっており、それらはともに、異なる相対位置にて、異なる光強度となるレンズを形成するような形態を有している。
【０００２】
このような、人工水晶体は、非早期公開特許にて公開されたオランダ特許出願１０２５６２２号に記載されている。オランダ特許出願１０２５６２２号には、生来の眼レンズを摘出した後の水晶体嚢に配置された遠近調節を行う人工水晶体、または、遠近調節はできないが生来の眼レンズと組み合わせて状況に応じて機能する、屈折率を調整できる人工水晶体の用途について記載されている。
【０００３】
光強度が位置によって変化するという効果を得るためには、複合レンズの光学的特性に合わせることができるようにしなければならない。これは、焦点、広視野の焦点、映像への適応、散光に対する感度、他の水晶体偏移、高次の光学的収差を含む。本発明の目的は、上記人工水晶体の光学的品質を改善する手段を提供することである。
【０００４】
異なる形状の光学素子では、該光学素子の１つにおいて大きな屈折力を受け入れることが可能となる場合、この光学素子を、所望の光学的特性に最適化させることができる。また、それ以外の光学素子（あるいは光学素子たち）は、光強度の変化量に応じた大きさとすることができる。２つの機能、すなわち、相対的に強いレンズを提供することと、光学素子の光強度が可変なレンズを提供することとを分離させることにより、それぞれの機能が独立して最適化できるようなる。
【０００５】
より好ましい第１の実施形態によれば、人工水晶体は、２つの移動可能な光学素子を備える。共に移動可能となっている光学素子の数は少数であり、数が少ないので眼の構造に容易に適応できる。
【０００６】
また、上記光学素子は、相互に異なる形状を有していてもよい。ここでの２つの光学素子のうちの１つは、高精度に一定となる光強度を提供する機能だけでなく、可視光放出変動に対して貢献する機能を有する。もう１方の光学素子は、レンズの可視光放出変動における機能のみを実現している。さらには、それぞれの光学素子が固定させた光強度に対して相互に異なる貢献をすることも可能である。
【０００７】
また、両方の光学素子が同じ形であってもよい。これにより、それぞれの光学素子を、固定させた光強度と可変な光強度とに対して、等しく貢献することができる。なお、光学素子は、もちろん相互に逆にした状態で配置されている。
【０００８】
両方の光学素子は、好ましくは次式を充たす面を備えている。
ｚ＝ＳＵ（ｘ，ｙ）＝Ｕ（ａｘｙ２＋ｂｘ３／３）
これは、面が次数３に応じてカーブすることを意味している。
【０００９】
上記で規定した式を充たす面の代わりに、同様にそれぞれの光学素子に、上記基本式の変形である次式を充たすような面を備えるように適用させてもよい。
ｚ＝ＳＯ（ｘ，ｙ）＝Ｏ（ｃｘ３＋ｄｙ３）／３
後者の場合では、上記光学素子が相互にスライド可能な方向として、可変な光強度を得るためにｘ軸およびｙ軸に対し、４５°の角度で伸びる必要がある。また、定数ｃおよびｄは、可変なレンズを正確に制御するために、必須ではないが、好ましくは等しい、すなわちｃ＝ｄである方がよい。ここでもまた、面のカーブは次数３にしたがったものとなる。
【００１０】
別の好ましい実施形態によれば、２つの光学素子のうちの少なくとも１つは、固定した光強度となるレンズに関する式を充たすような要素を有する面を備える。このような式の例としては、次式が挙げられる。
ｚ＝ＳＣ（ｘ，ｙ）＝Ｃ（ｋｘ２＋ｌｙ２）
これは、固定させた（光屈折の）光強度となる、放物レンズに関する式である。この固定させた光強度となるレンズは、遠距離を見るときの眼における光の屈折を一定とする。最初に示した式を充たすような面は、光学素子によって形成されたレンズの光強度を変化させる。そして、この場合、放物レンズは、変えることのできない基本的なレンズの光強度を提供する。固定レンズを正確に制御するために、定数ｋとｌとは、必須ではないが、好ましくは等しい、すなわちｋ＝ｌである方がよい。
【００１１】
面に関する成分は、２つ以上の式に応じて面がカーブしている状態を意味していることが理解できよう。結局、上述した実施形態の光学素子は、固定させた光強度と可変の光強度とに貢献する部分を備えている。なぜなら、それぞれの光学素子は、２つの面を備え、そのうちの１つの面は、複数の式のうちの１つに従って形成され、もう１つの面は、上記式とは別の式に従って形成することができるからである。また、１つの面に両方の式を適用してもよい。両方の式、またはアルゴリズムによって、このような複合面の構成成分を形成する。
【００１２】
さらに、拡充した実施形態では、人工水晶体が、固定させた光強度となる固定された光学素子と、２つの移動可能な光学素子とを備える方法を提供する。その方法では、固定された光学素子は、移動可能な光学素子それぞれの形態とは異なる形態を有する。
【００１３】
上記固定された光学素子は、十分な光強度を与える機能を実現することができる。一方、２つの移動可能な光学素子は、可変な光学的機能を与えることができる。なぜなら、この実施形態において、光学的機能は完全に分離されており、両方の機能は共に最適化されうるからである。生産技術の観点からは、全く同じ移動可能なレンズ素子を製造し、眼の中で、相互に逆になるように配置させる方が魅力的であるかもしれないが、異なる光学素子を使用することも可能である。
【００１４】
移動可能な光学素子は、好ましくは、反対の方向に等しい距離を移動するように設けられており、両方の移動可能な光学素子は、次式を充たす要素を有する面を備えている。
ｚ＝Ｕ（ａｘｙ２＋ｂｘ３／３）
最初に記載した、２つの光学素子のみを有する実施形態におけるように、ここでは米国特許公報第３３０５２９４号に記載されている式にしたがって形成された面が使用される。３つの光学素子を有する実施形態では、他にまた、４５°の角度で移動可能であることを示す式にしたがった面を使用することが可能である。
【００１５】
好適な実施形態によれば、光学素子の少なくとも１つは、一定の光強度となるレンズに関する式を充たす成分を有する面を備える。この式の例としては次式が挙げられる。
ｚ＝ＳＣ（ｘ，ｙ）＝Ｃ（ｋｘ２＋ｌｙ２）
一定の光強度となる光学素子上に、この（またはこれらの）面を配することは、もちろん魅力的であり、結局、固定された光学素子と可変な光学素子との完全な分離を得る。
【００１６】
次の実施形態では、以下の手段を提供する。すなわち、その手段とは上述した実施形態の３つの光学素子について、光強度における変化に関する全ての関数は、第１の光学素子は、次式を充たす面を有している。
ｚ＝ＳＦ（ｘ，ｙ）＝ｈ１＋２Ａ（ｅｘ２ｙ２＋ｆｘ４／６）
第２の光学素子は、次式を充たす面を有している。
ｚ＝ＳＮ（ｘ，ｙ）＝ｈ２＋Ｎ（ｇｘ２ｙ２＋ｈｘ４／６）
そして、第３の光学素子は、次式を充たす面を有している。
ｚ＝ＳＰ（ｘ，ｙ）＝ｈ３―Ｐ（ｉｘ２ｙ２＋ｊｘ４／６）
定数ｅとｆとは、必須ではないが、可変なレンズの正確な制御のために、好ましくは等しい、すなわちｅ＝ｆである方がよい。定数ｇとｈとは、必須ではないが、可変なレンズの正確な制御のために、好ましくは等しい、すなわちｇ＝ｈである方がよい。定数aとｂとは、必須ではないが、可変なレンズの正確な制御のために、好ましくは等しい、すなわちｉ＝ｊである方がよい。それゆえ、これは次数４となる面を含む。
【００１７】
この実施形態では、光学素子ＳＦが固定され、他の光学素子ＳＮとＳＰがともに第１の素子に関連して移動可能となっており、かつそれらが互いに関連して移動可能となっている場合に改良される。定数は、レンズの光学的制御を正確に行うために、好ましくは等しい、すなわちＮ＝Ｐ＝Ａである方がよい。加えて、２つの面ＳＮとＳＰとは、この２つの面を補完する第３面ＳＦとともに配置されることができる。このレンズは、おそらく、眼内で利用する用途にあまり適していない。なぜなら、このレンズは３つの光学素子から成り、例えば、２つの光学素子を備える可変なレンズと比較して、光軸に対して傾いたり、所望しない位置にシフトしたりするなど光学素子の配置が適切でないため、より重大な光学的収差とより大きな感度を示す。なお、３つの光学素子を備えるレンズにおいて、レンズの強度は光学素子それぞれのシフトに伴い線形に変化しない。このレンズは、多分、特定の技術的な用途では利点があるであろう。
【００１８】
米国特許公報第３３０５２９４号に記載された最初の設計から逸脱した光学に関するこれらのレンズの適用は、人間の眼内における人工水晶体のようなものだけでなく、眼鏡のレンズ、コンタクトレンズ、上述した選択的に遠近調節可能な人工水晶体のような人の視覚のためのものと同様に、例えば、望遠鏡、カメラのような技術的なもの適用可能である。
【００１９】
可変なレンズの光学素子の１つは、場合によっては付加的な固定されたレンズとともに、眼鏡に組み込まれてもよく、また他の光学素子では、場合によっては付加的な固定されたレンズとともに、コンタクトレンズに組み込まれている。これにより、全体は、眼の外に配置されたものとなり、コンタクトレンズを介して、眼鏡の様々な部分を通して見るとき、多焦点の視覚が得られる。この方法の短所は、眼鏡のみではなく、眼鏡とコンタクトレンズとを組み合わせて装着しなくてはならない点である。組み合わせた場合の光学的品質は、標準的な多焦点の眼鏡のみの場合の光学的品質を上回ることが発見されている。
【００２０】
さらに、レンズの配置については以下で明らかにする。なお、これらの配置、例えば眼の中における多様な配置と本発明による他の手段とは同様に、２つ以上のレンズ素子が使われる人工水晶体の場合にも適用できる。
【００２１】
上述した光学素子の機能に関して、これらの相対的な位置は、それらの配置を光学素子の寸法において考慮しなければならないのであれば非常に重要である。相対的な位置が、素子の寸法を考慮に要れた場合、これにより、原理上は、素子を、相互間の距離が大きくなったり、近接したりする位置に配置することが可能となる。それゆえ、好ましい実施形態では、全ての光学素子が相互に近接して配置されていることを示唆している。素子を１つのユニット（unit）として配置することは、容易であるばかりでなく、光学素子同士の距離が短いので、より簡単で光学的に好ましい形態とすることができる。
【００２２】
素子を、さらに離して配置するには理由がある。また、１つのユニット（unit）に移動可能な光学素子を組み合わせることは魅力的であり、光学的利点を生じさせることもできる。
【００２３】
全体的に光学的品質に関して、一般的には、一定の光強度となるレンズ機能を、眼の虹彩の前か後ろにできるだけ近づけて配置することが望ましい。さらに、光強度の変化を引き起こす光機能を一緒にできるだけ近づけて配置することが望ましい。一定の光強度となる機能と変化させる機能とは、同じ素子に位置しているが、これは必ずしもそうである必要はない。
【００２４】
さらに、別の好ましい形態では、人工水晶体は、移動可能な光学素子が眼の中の水晶体嚢の外側、すなわち角膜の横に配置できる手段を備えている。外側に移動可能な素子を配置することは、調整または補正制御を時々実行しなければならない際に、より早く達成できるという利点がある。この好ましい実施形態において、レンズは、遠近調節レンズとして機能せず、生来の水晶体、もしくは一定の光強度となる人工水晶体と組み合わせた調節可能な屈折レンズとして機能する。
【００２５】
さらに、この好ましい形態では、眼の中の水晶体嚢の中に配置できるように適応された固定された光学素子を備えている。結局、生来の水晶体を摘出した後の何もない空間が、利用される。
【００２６】
上述したレンズでは全て、光学的収差を有している。できるだけ、この光学的収差を減らすために、最初の実施の形態では、１つの光学素子の面の１つが次式を充たすような人工水晶体を提案している。
【００２７】
【数１】
2008539939.tif 000003
【００２８】
上式は、順応した光学的収差の補正を示す。
ｚ＝Ｓ（ｘ，ｙ）＋ａ２ｒ４＋ａ２ｒ６＋…ａｎｒ（２ｎ＋２）
上式は、ａ２ｒ４によって示される球面収差、または、次式によって示される上式の組み合わせを含む、高次数の光学的収差の独立した補正を示す。
【００２９】
【数２】
2008539939.tif 000004
【００３０】
米国特許公報第６６０９７９３号と第６７０５７２９号には、上記補正について、特には、単焦点の人工水晶体の補正のための項ａ１ｒ４＋ａ２ｒ６について記載されている。
【００３１】
さらに、他の実施形態では、光学素子の少なくとも１つにおいて、その面の１つに関する補正項を規定している。この補正項は、次式を満たす。
ｚ＝ＳＣ（ｘ，ｙ）＝Ｃ（ｍｘ２−ｎｙ２）
ここで、ｋ＝ｌである。この式は、一般的に起こる眼での光学的収差である非点収差を補正するために用いることができる。定数ｍとｎとは、必ずしもそうである必要はないが、可変なレンズの正確な制御のために、好ましくは等しい、すなわちｍ＝ｎである方がよい。
【００３２】
この人工水晶体は、扁長のレンズデザインと組み合わされており、そこでの虹彩の直径の変化は、遠近調節の処理に含まれる。
【００３３】
次に、数学的な説明をおこなう。レンズは、標準的なゼルニケの公式による球面、放物線、双曲線の形に形作られている。ここに記載された人工水晶体は、同じ光学表面における、これらの形とその組み合わせとを利用することにより最適化される。
【００３４】
上述した、２つの光学素子によって形成されるレンズは、半径方向に重ねることができる。これは、次式にしがたって可能である。なお、次式にしたがってのみ可能というわけではない。
【００３５】
【数３】
2008539939.tif 000005
【００３６】
【数４】
2008539939.tif 000006
【００３７】
【数５】
2008539939.tif 000007
【００３８】
上記レンズでは、いくつかの生来の光学的短所を補償するので、眼の中において十分な光学的長所を備えている。
【００３９】
上記レンズでは、次式にしたがって円錐曲線の回転体に重ね合わせることができる。なお、次式にしたがってのみ可能というわけではない。
【００４０】
【数６】
2008539939.tif 000008
【００４１】
これは、上述した補正式の変形である。
【００４２】
また、レンズは、補正に関する上記公式の別のバージョンとして、等しい光強度を有する上述の原理、または回転体である円錐体、あるいはそれ以外の条件に基づいて設計してもよい。
【００４３】
【数７】
2008539939.tif 000009
【００４４】
一定の光強度となるレンズが光学素子の１つにのみ配置されたとき、光学素子が移動すると光軸も移動する。小さな窪み（fovea）が、光軸上にないため、遠近調節の間、光軸を小さな窪みに近接させる、もしくは窪みにさえも位置させることが可能である。この、遠近調節中の光軸の移動による効果は、ここで記載されている型のレンズにとって、独自のものである。単焦点のレンズを含む他の人工水晶体の型であっても、光軸を小さな窪み（fovea）と接触させるために調整されなければならない。
【００４５】
一定の光強度となる標準的なレンズは、眼の球面収差、例えば円筒型でかつ高位次数の収差に対して網膜上の像を補正することができない。円筒型の収差（cylindrical aberration）と他の収差とは一般的に生じるものであり、今日では、眼鏡がコンタンクトレンズを用いて容易に補正できる。本発明の遠近調節できる人工水晶体は、眼鏡を不要とするのだが、それゆえ、この収差が人工水晶体により補正する必要がある。円筒型からのずれ（deviations）を補正するためのシリンドリカルな人工水晶体は、いくつか市販されているが、使用は一般的ではない。つまり、患者は一定の光強度の人工水晶体を挿入後、眼鏡をかけ、眼鏡によって容易に収差を補正できる。しかしながら、円筒型の補正は、現行の２つの移動する光学素子を備える人工水晶体に加えることができる。他の高位次数の補正を、１つ以上の光学面における光学設計に組み入れてもよい。
【００４６】
既に上述した、非早期公開オランダ特許出願１０２５６２２号では、光学素子の端部が強化されている場合に魅力がある。この端部は、多くの場合、光学素子の光学的に動的な部分が製造される材料と同じ透明な材料から作られる。その結果、端部への入射光は屈折し、その後、通常の所望の光線の伝播とは分離される。この弊害を克服するために、特定の実施形態では次の提案をしている。すなわち、光学素子の少なくとも１つは、部分的に、受けた光を外側に屈折させる、強化された端部を備える。
【００４７】
黄斑変性のような眼の状態の患者にとって、網膜の健康な部分に像が投影されることは好ましい。水晶体は、好ましくは光軸から逸れ、網膜上の位置に像が投影されるようにするために適応される。光学的に好ましい方法は、少なくとも１つの光学素子のプリズムを有するものである。
【００４８】
さらに、他の好ましい実施形態では、光学素子の相対的な配置を容易とするために役立つ少なくとも２つの光学素子を備える手段を提供している。これは、光学素子の設置時および配置時において重要である。極めて小さい寸法の全ての素子に関わるのだが、配置は、患者が得る像の質に大きな影響を及ぼすので、特に正確に配置されなければならない。
【００４９】
光軸に対し横方向となる第１の方向における、光学素子の相対的な配置に関して、マーキング（markings）は、第１の方向に線形に伸びる構造である。これにより、光軸に対し、横方向となる第１の方向における光学素子の相対的な配置が可能となる。また、第１の方向への同一平面での相対的配置に対して、マーキングがこの第１の方向に対して横方向となる第２の方向に線形に伸びる構造である。なお、一方向に伸びる線形構造それぞれは、一方の線形構造に対して垂直方向の関係となる。上記方法に代えて、もしくは加えて、マーキングは、線形構造が半径方向に伸びる構成である。これにより、光学素子の相対的な回転位置を決定することができる。
【００５０】
正しい屈折を得るための眼の手術によるレンズ素子の配置は、レンズ移植手術中に実行される。このレンズ素子の配置は、場合によっては、同時に眼の屈折の測定を行ったり、またその手術中に、基本レンズの強さと配置との正しい調節を比較したりする。
【００５１】
本発明は、以下に示す図によって、明らかになるであろう。
【００５２】
図１は、従来技術による人工水晶体を形成する２つの光学素子の配置を示す断面図である。
【００５３】
図２は、従来技術による人工水晶体の第１の実施形態を示す断面図である。
【００５４】
図３は、従来技術による人工水晶体の第２の実施形態を示す断面図である。
【００５５】
図４は、図２に示す第１の実施形態の変形例である。
【００５６】
図５は、図３に示す第２の実施形態の変形例である。
【００５７】
図６は、マーキング（markings）を備える光学素子の組み合わせを示す平面図である。
【００５８】
図７は、２つの同一で移動可能な光学素子から成るレンズの配置を示す断面図である。
【００５９】
図８は、２つの異なる移動可能な光学素子から成るレンズの配置を示す断面図である。
【００６０】
図９は、２つの同一で移動可能な光学素子と１つの固定された光学素子とから成るレンズの配置を示す断面図である。
【００６１】
図１０は、３つの弓状素子のうち２つが移動可能であるレンズの配置を示す断面図である。
【００６２】
図１１は、眼内における異なる光学素子の第１の配置を示す断面図である。
【００６３】
図１２は、眼内における異なる光学素子の第２の配置を示す断面図である。
【００６４】
図１３は、眼内における異なる光学素子の第３の配置を示す断面図である。
【００６５】
図１は、２つの光学素子１、２の配置を示す。これらは、２つで人工水晶体３を形成する。両方の素子は、光軸に対し横の方向に、ともに移動可能である。光学素子は、相互に関連する様々な位置において、人工水晶体３に対し様々な価値を与えるような形である。この実施形態は、非早期公開オランダ特許出願１０２５６２２号の主題を示している。ここに記載されている人工水晶体の最も簡単な実施形態によれば、２つの光学素子は、全く同一である。
【００６６】
しかしながら、これは決して必須ではない。例えば、図２に示す実施形態では、使用されている２つの光学素子４と５とは異なる。後ろの光学素子５は、前の光学素子４よりも大きく、光強度に対し、より貢献する。そして、大きい光学素子５は、その機能のために最適化される。
【００６７】
より高度に最適化された配置を図３に示す。ここでは、３つの光学素子が使用されている。すなわち、１つの固定素子６と２つの移動可能な光学素子７、８である。固定された光学素子６は、光学素子７、８が横方向に変化することにより遠近調節をしている間、光強度に最も貢献する。この特性によって、それぞれの素子に割り当てられた機能の最適化が図られる。
【００６８】
上記実施形態において、光軸方向の相互の距離は、関係ない。図４の実施形態は、２つの異なる素子４、５がどのようにして、１つのユニット（unit）９の中で組み合わされているかを示している。このユニットは、生来の眼レンズの体嚢１０の中で一体となって遠近調節を行うことができる。
【００６９】
また、光学素子は図５に示すような２つのグループに分けることが可能である。固定された素子９は、好ましくは、生来の眼レンズの体嚢１０の中で適応する。そして、移動可能な光学素子７、８は、眼内で、相互に異なる位置に配置される。このような光学素子が２つのグループに分かれた状態を形成することは、２つの素子のみを使用するときでも可能である。
【００７０】
図６は、ともに、マーキング（markings）を備える２つの光学素子１、２の組み合わせを示す。これらのマーキングは、第１光学素子１の第１面上の一連の縞模様１１と、光学素子１の第２面上の一連の縞模様１２によって形成されている。
【００７１】
縞模様１１、１２は、できるだけ小さく光学素子１を通る光線の伝播を分離させるために、光学素子１の中心のどちらか一方の横に短い距離で、伸びている。縞模様１１、１２は、光学素子１上に配置され、人間の眼に見えるように、凸凹に作成されている。そして、縞模様はインクにより印刷され、光学素子１の材料上に、レーザによる凹凸、あばら状、あるいは溝を形成している。第２の光学素子２は、それぞれよく似た縞模様１３、１４を備えている。第１の方向における光学素子１、２の正しい位置は、縞模様１１と１３が重なり、かつ縞模様１２と１４とが重なることで保証される。なおここで、一本の縞模様それ自体で、参照するには十分であるが、複数の縞模様を用いることで、位置決めが容易となるということに目を向けるべきである。
【００７２】
素子１、２は、さらに、半径方向にそれぞれ縞模様１５、１６と１７と、１８とを備えている。これは、相互に回転位置を決定するためのものである。また、これは、縞模様１１〜１４と平行な方向に相対的に移動するときにも用いられる。さらに、この目的のために相互に平行に伸びた縞模様を用いることも可能である。
【００７３】
なお、全ての図における、複合の弓状面は、無作為に凸面を１つ選択して、概略的に示すものとする。また、ここでのより強い凸面は、一定の値となるより強いレンズをこの弓状面に追加している旨を説明している。
【００７４】
図７は、相互に人工水晶体２３を形成している、２つの光学素子２１、２２の配置を示す。両素子は、矢印２５で示すように、光軸２４に対し横方向に移動可能である。光学素子２１、２２は、相対的に異なる位置において、異なる光屈折によって人工水晶体２３に、光学的価値を与える形状である。固定強度のレンズは、両光学素子を均一に分けられる。図８の実施形態では、非早期公開オランダ特許出願１０２５６２２の主題について示されている。ここに記載されている人工水晶体の最も簡単な実施形態によれば、２つの光学素子は全く同じである。
【００７５】
光学素子が全く同じということは、必ずしも必須ではない。例えば、図８に示す実施形態では、使用されている２つの光学素子２６と２７とは異なる。前の光学素子２６は、後ろの光学素子２７よりも大きく、全体の素子２８の光強度により貢献する。しかしながら、両素子２６、２７の、光強度の可変部材への貢献度は同じである。また、ここに示されるように、もし異なる移動可能な光学素子が使用されると、遠近調節をする間、光軸は、ずれた角度２４ａとなる。
【００７６】
図９は、２つの同一の素子２９、３０と、これと強力に組み合わされ、固定レンズ３１を有する移動しない光学素子とを有するレンズを示す。固定レンズ３１は、移動可能な素子２９、１０の構成に選択的に組み入れられる。組み入れられたレンズ３２は、３つの光学素子２９、３０、３１すべてによって形成される。この特性によって、それぞれの素子に割り当てられた機能の最適化が図られる。
【００７７】
図１０において、可変な強度を持つレンズ３３は、３つの弓状素子３４、３５、３６によって形成される。素子３４と３５とは、素子３６に加えられるように配置され、素子３６は、素子３４と３５とを補間する関係にある。この配置において、素子３４と素子３５とは、移動する。この配置における、わずかな逸脱の数学的な説明については、本文に上述した。
【００７８】
図１１に、角膜４６と虹彩４７と網膜４８とを有する眼の断面図が示されている。人工水晶体の用途を実行するために、光学素子５２、５３は、水晶体嚢４９の中に配置されている。図１１に示すように、場合によっては、光学素子５２、５３は同一でもよい。本実施形態における水晶体嚢４９内の光学素子５２、５３は、眼内の屈折を正し、遠近調節の機能を実行する。
【００７９】
図１２における、移動可能な光学素子は、水晶体嚢４９の中に配置され、固定強度の光学素子５０は、前房５１の中に配置されている。これらは、明らかに実用的な配置であるが、他の配置も考えることができる。例えば、一定の強度のレンズ５０を、同じように後眼房に配置することが考えられる。本実施の形態では、水晶体嚢におけるこれらの光学素子は遠近調節機能の実行に役立つのみである。
【００８０】
図１３における、素子５２、５３によって形成された可変なレンズは、遠近調節はできない。しかし、前房５１に配置されている場合、人工水晶体の屈折を調節できる。この可変なレンズは、新しい状況における眼内の屈折に適応するために、すなわち、可変なレンズが水晶体嚢の中に配置されたレンズ５４とともにある状況における眼内の屈折により適応するために、間隔を長くあけた眼の手術にであれば適応される。このレンズ５４は、生来の眼レンズでもよい。
【図面の簡単な説明】
【００８１】
【図１】従来技術による人工水晶体を形成する２つの光学素子の配置を示す断面図である。
【図２】従来技術による人工水晶体の第１の実施形態を示す断面図である。
【図３】従来技術による人工水晶体の第２の実施形態を示す断面図である。
【図４】図２に示す第１の実施形態の変形例である。
【図５】図３に示す第２の実施形態の変形例である。
【図６】マーキングを備える光学素子の組み合わせを示す平面図である。
【図７】２つの同一で移動可能な光学素子から成るレンズの配置を示す断面図である。
【図８】２つの異なる移動可能な光学素子から成るレンズの配置を示す断面図である。
【図９】２つの同一で移動可能な光学素子と１つの固定された光学素子とから成るレンズの配置を示す断面図である。
【図１０】３つの弓状素子のうち２つが移動可能であるレンズの配置を示す断面図である。
【図１１】眼内における異なる光学素子の第１の配置を示す断面図である。
【図１２】眼内における異なる光学素子の第２の配置を示す断面図である。
【図１３】眼内における異なる光学素子の第３の配置を示す断面図である。
【図１】
2008539939.tif 000011
【図２】
2008539939.tif 000012
【図３】
2008539939.tif 000013
【図４】
2008539939.tif 000014
【図５】
2008539939.tif 000015
【図６】
2008539939.tif 000016
【図７】
2008539939.tif 000017
【図８】
2008539939.tif 000018
【図９】
2008539939.tif 000019
【図１０】
2008539939.tif 000020
【図１１】
2008539939.tif 000021
【図１２】
2008539939.tif 000022
【図１３】
2008539939.tif 000023
【国際調査報告】
2008539939.tif 000024
2008539939.tif 000025